(57)【要約】【課題】使用期間の開始日時が予め規定されている物品を、その物品の使用期間を厳正に管理しながら保管することができる物品保管装置を提供する。【解決手段】施錠装置を備え、物品を収納する収納部と、前記収納部に収納する物品に関する使用期間の開始日時を受付ける開始日時受付部と、前記開始日時受付部により受付けた前記開始日時を記憶する記憶部と、現在日時を計時する計時部と、物品が前記収納部に収納されてから、前記計時部により計時された現在日時が前記記憶部に記憶している開始日時になるまでの間、前記施錠装置の開錠を禁止制御する施開錠制御部とを有する物品保管装置とした。【選択図】        図２
2010112045.tif 000002
【特許請求の範囲】
【請求項１】
施錠装置を備え、物品を収納する収納部と、
前記収納部に収納する物品に関する使用期間の開始日時を受付ける開始日時受付部と、
前記開始日時受付部により受付けた前記開始日時を記憶する記憶部と、
現在日時を計時する計時部と、
物品が前記収納部に収納されてから、前記計時部により計時された現在日時が前記記憶部に記憶している開始日時になるまでの間、前記施錠装置の開錠を禁止制御する施開錠制御部と
を有することを特徴とする物品保管装置。
【請求項２】
複数の前記収納部と、
前記収納部に収納する物品の種類を受付ける種類受付部と、
前記種類受付部により受付けた物品の種類が、前記収納部に収納している物品の改訂版である改訂品であり、且つ、前記開始日時受付部が前記改訂品に関する使用期間の開始日時を受付けた場合に、当該受付けた開始日時の前日を前記改訂品の改訂前の前記物品に関する使用期間の終了日時として前記記憶部に記憶させる記憶制御部と
を有することを特徴とする請求項１に記載の物品保管装置。
【請求項３】
前記施開錠制御部は、前記計時部により計時された現在日時が前記記憶部に記憶している前記終了日時以降、前記使用期間が過ぎた物品を収納している前記収納部に対応する前記施錠装置の開錠を禁止制御することを特徴とする請求項２に記載の物品保管装置。
【請求項４】
前記開始日時受付部が前記改訂品に関する使用期間の開始日時を受付けた場合に、前記改訂品の改訂前の物品に関する使用期間の終了日時までに、前記改訂前の物品の廃棄を促す報知を行う報知部を有することを特徴とする請求項２又は請求項３に記載の物品保管装置。
【請求項５】
前記収納部内における物品の存否を検知する検知部と、
使用期間を過ぎた物品を前記収納部から廃棄するための廃棄操作を受付ける廃棄操作受付部と、
前記廃棄操作受付部により前記廃棄操作を受付けた場合に、前記検知部が前記廃棄操作に対応する収納部内に物品の存在を検知しなくなるまで、前記廃棄操作に対応する前記収納部の使用を禁止制御する使用禁止制御部と
を有することを特徴とする請求項２〜４のいずれか１項に記載の物品保管装置。
【請求項６】
前記改訂品に関する使用期間の開始日時の変更を受付ける開始日時変更受付部を有し、
前記記憶制御部は、前記開始日時受付部が前記開始日時の変更を受付けた場合に、当該受付けた開始日時を前記改訂品に関する使用期間の開始日時として前記記憶部に記憶させると共に、当該受付けた開始日時の前日を前記改訂品の改訂前の物品に関する使用期間の終了日時として前記記憶部に記憶させることを特徴とする請求項２〜５のいずれか１項に記載の物品保管装置。
【発明の詳細な説明】
【技術分野】
【０００１】
本発明は、物品保管装置に関するものであり、特に、使用期間の開始日時が予め規定されている物品を、その物品の使用期間を厳正に管理しながら保管することができる物品保管装置に関するものである。
【背景技術】
【０００２】
従来、使用期限が定められた物品を収納すると共に、収納した物品の使用期限を管理する物品保管装置が知られている。このような物品保管装置として、たとえば、特許文献１には、収納する物品を管理することにより、使用期限切れの物品が使用されることを防止可能としたキャビネットが記載されている。
【０００３】
このキャビネットは、物品を出し入れするために開閉する扉と、この扉を施解錠する電子錠と、電子錠の施解錠を行うと共に物品の使用期限を管理するコントローラと、物品を収納する容器に設けられた物品の使用期限情報を表すバーコードから、物品の使用期限を読み出すバーコードリーダとを備えている。
そして、このキャビネットでは、物品を内部に保管している状態で電子錠が施錠され、コントローラがバーコードリーダにより読取った使用期限に基づいて、使用期限内であると判定したときに電子錠を開錠することにより、使用期限を過ぎた物品が取り出されることを防止していた。
【０００４】
【特許文献１】特開２００６−６９６９８号公報
【発明の開示】
【発明が解決しようとする課題】
【０００５】
しかしながら、上記特許文献１に記載のキャビネットをはじめとする従来の物品保管装置では、物品の使用期限のみを考慮して物品の使用期間を管理していたため、使用期間の開始日時が規定されているような物品を保管した場合に、その物品の使用期間を厳正に管理することが困難であった。
【０００６】
たとえば、銀行等で販売される投資信託に関する約款や成績などの内容を示した目論見書等のように、適宜改訂版が発行される物品は、予め使用期間の開始日時が規定されている。このように使用期間の開始日時が予め規定されている物品を従来の物品保管装置に保管した場合、使用期間の開始日時以前に扉を開錠することができるため、誤って使用期間の開始前に、本来使用が禁止されている物品が使用されるおそれがあった。
【０００７】
本発明は、かかる従来技術における課題に鑑みてなされたものであり、使用期間の開始日時が予め規定されている物品を、その物品の使用期間を厳正に管理しながら保管することができる物品保管装置を提供することを目的とする。
【課題を解決するための手段】
【０００８】
そこで、本発明では、施錠装置を備え、物品を収納する収納部と、前記収納部に収納する物品に関する使用期間の開始日時を受付ける開始日時受付部と、前記開始日時受付部により受付けた前記開始日時を記憶する記憶部と、現在日時を計時する計時部と、物品が前記収納部に収納されてから、前記計時部により計時された現在日時が前記記憶部に記憶している開始日時になるまでの間、前記施錠装置の開錠を禁止制御する施開錠制御部とを有する物品保管装置とした。
【０００９】
また、本発明では、前記物品保管装置は、複数の前記収納部と、前記収納部に収納する物品の種類を受付ける種類受付部と、前記種類受付部により受付けた物品の種類が、前記収納部に収納している物品の改訂版である改訂品であり、且つ、前記開始日時受付部が前記改訂品に関する使用期間の開始日時を受付けた場合に、当該受付けた開始日時の前日を前記改訂品の改訂前の前記物品に関する使用期間の終了日時として前記記憶部に記憶させる記憶制御部とを有することを特徴とする。
【００１０】
また、本発明では、前記物品保管装置における前記施開錠制御部は、前記計時部により計時された現在日時が前記記憶部に記憶している前記終了日時以降、前記使用期間が過ぎた物品を収納している前記収納部に対応する前記施錠装置の開錠を禁止制御することを特徴とする。
【００１１】
また、本発明では、前記物品保管装置は、前記開始日時受付部が前記改訂品に関する使用期間の開始日時を受付けた場合に、前記改訂品の改訂前の物品に関する使用期間の終了日時までに、前記改訂前の物品の廃棄を促す報知を行う報知部を有することを特徴とする。
【００１２】
また、本発明では、前記物品保管装置は、前記収納部内における物品の存否を検知する検知部と、使用期間を過ぎた物品を前記収納部から廃棄するための廃棄操作を受付ける廃棄操作受付部と、前記廃棄操作受付部により前記廃棄操作を受付けた場合に、前記検知部が前記廃棄操作に対応する収納部内に物品の存在を検知しなくなるまで、前記廃棄操作に対応する前記収納部の使用を禁止制御する使用禁止制御部とを有することを特徴とする。
【００１３】
また、本発明では、前記物品保管装置は、前記改訂品に関する使用期間の開始日時の変更を受付ける開始日時変更受付部を有し、前記記憶制御部は、前記開始日時受付部が前記開始日時の変更を受付けた場合に、当該受付けた開始日時を前記改訂品に関する使用期間の開始日時として前記記憶部に記憶させると共に、当該受付けた開始日時の前日を前記改訂品の改訂前の物品に関する使用期間の終了日時として前記記憶部に記憶させることを特徴とする。
【発明の効果】
【００１４】
本発明によれば、施錠装置を備え、物品を収納する収納部と、前記収納部に収納する物品に関する使用期間の開始日時を受付ける開始日時受付部と、前記開始日時受付部により受付けた前記開始日時を記憶する記憶部と、現在日時を計時する計時部と、物品が前記収納部に収納されてから、前記計時部により計時された現在日時が前記記憶部に記憶している開始日時になるまでの間、前記施錠装置の開錠を禁止制御する施開錠制御部とを有する物品保管装置としたため、使用期間の開始日時が予め規定されている物品を、その物品の使用期間を厳正に管理しながら保管することができる。
【００１５】
また、本発明では、前記物品保管装置は、複数の前記収納部と、前記収納部に収納する物品の種類を受付ける種類受付部と、前記種類受付部により受付けた物品の種類が、前記収納部に収納している物品の改訂版である改訂品であり、且つ、前記開始日時受付部が前記改訂品に関する使用期間の開始日時を受付けた場合に、当該受付けた開始日時の前日を前記改訂品の改訂前の前記物品に関する使用期間の終了日時として前記記憶部に記憶させる記憶制御部とを有するため、改訂品に関する使用期間の開始日時を入力するだけで、その改訂品の改訂前の物品に関する使用期間の終了日時を自動的に設定することができる。
【００１６】
また、本発明では、前記物品保管装置における前記施開錠制御部は、前記計時部により計時された現在日時が前記記憶部に記憶している前記終了日時以降、前記使用期間が過ぎた物品を収納している前記収納部に対応する前記施錠装置の開錠を禁止制御するため、改訂前の物品に関する使用期間の終了日時を自動的に設定することがきると共に、使用期間を過ぎた物品を取出し不可能とすることができるため、物品の使用期間を厳正に管理することができる。
【００１７】
また、本発明では、前記物品保管装置は、前記開始日時受付部が前記改訂品に関する使用期間の開始日時を受付けた場合に、前記改訂品の改訂前の物品に関する使用期間の終了日時までに、前記改訂前の物品の廃棄を促す報知を行う報知部を有するため、使用期間を過ぎた不要な物品を長期にわたり保管することを防止することができる。
【００１８】
また、本発明では、前記物品保管装置は、前記収納部内における物品の存否を検知する検知部と、使用期間を過ぎた物品を前記収納部から廃棄するための廃棄操作を受付ける廃棄操作受付部と、前記廃棄操作受付部により前記廃棄操作を受付けた場合に、前記検知部が前記廃棄操作に対応する収納部内に物品の存在を検知しなくなるまで、前記廃棄操作に対応する前記収納部の使用を禁止制御する使用禁止制御部とを有するため、使用期間を過ぎた物品を確実に廃棄させることができる。
【００１９】
また、本発明では、前記物品保管装置は、前記改訂品に関する使用期間の開始日時の変更を受付ける開始日時変更受付部を有し、前記記憶制御部は、前記開始日時受付部が前記開始日時の変更を受付けた場合に、当該受付けた開始日時を前記改訂品に関する使用期間の開始日時として前記記憶部に記憶させると共に、当該受付けた開始日時の前日を前記改訂品の改訂前の物品に関する使用期間の終了日時として前記記憶部に記憶させるため、改訂品に関する使用期間の開始日時が変更になった場合に、その変更になった日時を入力するだけで、改訂品の改訂前の物品に関する使用期間の終了日時が連動して設定されるため、一度の入力操作によって、複数の物品の使用期間の設定変更を行うことができる。
【発明を実施するための最良の形態】
【００２０】
以下、本発明に係る物品保管装置の一実施形態について、図面を参照して具体的に説明する。ここでは、銀行等で販売される投資信託等の商品に関する約款や成績などの商品内容を示した目論見書等といった使用期間が規定された物品を収納する物品保管装置に対して本発明を適用した場合を例に挙げて説明するが、本発明は、目論見書に限らず任意の物品を保管する物品保管装置に対して適用することができるものである。
【００２１】
まず、図１を参照して、本実施形態に係る物品保管装置の外観について説明する。図１は、本実施形態に係る物品保管装置を示す斜視図である。図１に示すように、本実施形態に係る物品保管装置１は、縦長箱形状の筺体の両側部に物品を収納する収納部２を備え、これら収納部２を挟んだ筺体の中央部に、当該物品保管装置１の動作及び収納部２内に収納した物品の管理を行う管理部３を備えている。
【００２２】
各収納部２は、最上層と最下層とに比較的大型の物品を収納可能な大型収納庫２ａを備え、これら大型収納庫２ａの間の中間層に、大型収納庫２ａよりも収納容量が小さな複数の標準収納庫２ｂを備えている。以下、これら大型収納庫２ａと標準収納庫２ｂとを総称して、単に「収納庫２ｘ」という。なお、図１に示す各収納庫２ｘの収納容量やレイアウトは、一例に過ぎず任意に変更することができる。
【００２３】
管理部３は、物品保管装置１の利用者を顔認証するための顔認証用撮像部４と、物品保管装置１の操作手順や収納庫２ｘに収納している物品に関する情報等を画面上に表示すると共に、利用者が表示中の画面上における所定位置に触れることによって、物品保管装置１に各種機能を実行させるタッチパネル機能を有する表示操作部５とを備えている。
【００２４】
また、管理部３は、利用者をＩＣカードにより認証するためのＩＣカードリーダ６と、物品に貼付されたバーコードからその物品に関する情報を読み取るバーコードリーダ７と、物品を撮像するための物品用撮像部８とを備えている。また、物品用撮像部８の下方には、郵便物収納部９（図２参照）を備えている。図１中の符号９ａは、郵便物収納部９に郵便物を投入するための郵便物投入口、符号９ｂは、郵便物収納部９から郵便物を取り出す際に開閉する扉である。
【００２５】
また、この管理部３は、郵便物収納部９の下方に、物品保管装置１全体の動作を統括制御する後述の制御部１０（図２参照）を備えている。なお、図１中の符号１０ａは、制御部１０の設定やメンテナンスを行う際に開閉する扉、符号１０ｂは、扉１０ａを開錠及び施錠する鍵孔である。
【００２６】
この物品保管装置１は、利用者による表示操作部５の操作に基づいて、制御部１０が収納庫２ｘの施錠及び開錠を行う。さらに、この物品保管装置１は、収納庫２ｘに収納している物品の使用期間の開始日及び終了日に応じて、制御部１０が収納庫２ｘの施錠及び開錠を行う。
【００２７】
ここで、図２を参照して、物品保管装置１の構成について説明する。図２は、本実施形態に係る物品保管装置１の構成を示す機能ブロック図である。図２に示すように、物品保管装置１は、収納部２と管理部３とを備えている。
【００２８】
収納部２は、複数の収納庫２ｘを備えている。各収納庫２ｘは、それぞれ物品を収納可能な収納領域を有するとボックスと、制御部１０による制御に従って各収納庫２ｘの開錠及び施錠を行う施錠装置としての電子キー２ｄと、各収納庫２ｘ内部に物品が収納されているか否かを検知するセンサ２ｅとを備えている。
【００２９】
管理部３は、表示操作部５、スピーカ１６ａ、バーコードリーダ７、ＩＣカードリーダ６、顔認証用撮像部４、物品用撮像部８、制御部１０、記憶部２０、郵便物収納部９を備えている。
【００３０】
表示操作部５は、タッチパネル機能を備えた液晶表示装置により構成している。この表示操作部５は、制御部１０による制御表示制御にしたがって、物品保管装置１の操作手順や収納庫２ｘに収納している物品に関する情報等を画面上に表示する。また、この表示操作部５は、利用者が表示中の画面上における所定位置に触れる操作を行うと、その操作に応じた操作信号を制御部１０へ出力する。
【００３１】
特に、本実施形態において、この表示操作部５は、利用者が収納庫２ｘに保管している物品の廃棄を行う際に、その操作を受付ける廃棄操作受付部５ａ、利用者が収納庫２ｘに保管している物品に関する使用期間の開始日を変更する際に、その操作を受付ける開始日時変更受付部５ｂ等として機能する。
【００３２】
スピーカ１６ａは、制御部１０による制御に基づいて、利用者に対して様々な報知音や報知アナウンスを出音する。
【００３３】
バーコードリーダ７は、物品に添付されているバーコードからその物品に関する情報として、その物品の種類、その物品の使用期間の開始日、その物品の数量等を読み取って制御部１０へ出力する。すなわち、本実施形態では、このバーコードリーダ７が、収納庫２ｘに収納する物品に関する使用期間の開始日時を受付ける開始日時受付部７ａ、収納庫２ｘに収納する物品の種類を受付ける種類受付部７ｂとして機能する。
【００３４】
ＩＣカードリーダ６は、利用者によりかざされたＩＣカードから、その利用者の識別情報を読み取り、読み取った識別情報を制御部１０へ出力する。顔認証用撮像部４は、利用者の顔を撮像するカメラを備えており、撮像した利用者の顔画像データを制御部１０へ出力する。物品用撮像部８は、収納庫２ｘに保管する物品の画像を撮像するカメラを備えており、撮像した物品の画像データを制御部１０へ出力する。この物品用撮像部８は、利用者が所望するときにのみ、利用者の操作に基づいて物品を撮像する。
【００３５】
記憶部２０は、書き換え可能な不揮発メモリにより構成しており、認証用データベース２１、物品画像データ２２、使用期間管理テーブル２３、音声データベース２４等を記憶している。
【００３６】
認証用データベース２１には、予め撮像しておいた利用者の顔画像データ、利用者の識別情報等が記憶されている。また、物品画像データ２２は、利用者が収納庫２ｘに物品を保管する際に物品用撮像部８により撮像された画像データである。
【００３７】
また、使用期間管理テーブル２３には、収納庫２ｘに保管されている各物品に関する使用期間の開始日、終了日、収納している物品の数量、その物品の改訂数、その物品が保管されている収納庫２ｘの識別情報（以下、「ボックス」Ｎｏという。）等が各収納庫２ｘ単位で記憶されている。また、音声データベース２４には、スピーカ１６ａから出力させるための各種音声データが記憶されている。なお、郵便物収納部９は、所定郵便物を一時保管する保管庫である。また、この記憶部２０には、表示操作部５に表示させるための各種画像データ等も記憶されている。
【００３８】
制御部１０は、物品保管装置１全体の動作を統括制御するコンピュータにより構成しており、図示しないＣＰＵ（Central Processing Unit）が、ＲＯＭ(Read Only Memory）から所定の制御プログラムを読み出しＲＡＭ（Random Access Memory）を作業領域として使用して実行することにより動作する施開錠制御部１１、計時部１２、存否判定部１３、記憶制御部１４、表示操作制御部１５、出音制御部１６、認証部１７を備えている。
【００３９】
計時部１２は、現在日時を計時する時計により構成している。また、存否判定部１３は、各収納庫２ｘに設けられているセンサ２ｅから入力される検知信号に基づいて、各収納庫２ｘに物品が保管されているか否かを判定する処理部である。
【００４０】
表示操作制御部１５は、利用者による表示操作部５の操作に基づいて、状況に応じた画像データを記憶部２０から読み出して、表示操作部５に表示させる処理部である。この表示操作制御部１５の制御により表示操作部５に表示される画面については、後に詳述する。また、この表示操作制御部１５は、利用者による表示操作部５の操作に応じた操作信号を施開錠制御部１１、記憶制御部１４に出力する。
【００４１】
出音制御部１６は、当該物品保管装置１の動作状態に応じて、記憶部２０の音声データベース２４から所定の音声データを読み出して、スピーカ１６ａから出音させる処理部である。
【００４２】
認証部１７は、顔認証用撮像部４から利用者の顔画像データが入力された場合に、その顔画像データと記憶部２０の認証用データベース２１に記憶されている顔画像データとを照合することによって利用者を認証し、その認証結果を施表示操作制御部１５へ出力する処理部である。また、この認証部１７は、ＩＣカードリーダ６から利用者の識別情報が入力された場合には、その識別情報と記憶部２０に記憶されている利用者の識別情報とを照合して利用者を認証し、その認証結果を表示操作制御部１５へ出力する。記憶制御部１４は、記憶部２０への各種データの書き込み、及び記憶部２０からの各種データの読み出しを行う処理部である。
【００４３】
施開錠制御部１１は、利用者による表示操作部５の操作に応じて、各収納庫２ｘの電子キー２ｄを施錠制御及び開錠制御する処理部である。特に、本実施形態に係る施開錠制御部１１は、利用者が収納庫２ｘに保管している物品を取り出す操作を行った場合に、記憶部２０に記憶している使用期間管理テーブル２３を参照し、利用者が取り出そうとする物品の使用期間に応じて、電子キー２ｄの開錠を禁止制御することにより、使用期間以外のときに物品が取り出されることを防止する。
【００４４】
また、この施開錠制御部１１は、利用者が使用期間の過ぎた物品を廃棄するための操作を行った場合に、その操作に対応する収納庫２ｘに設けられたセンサ２ｅが収納庫２ｘに物品の存在を検知しなくなるまで、その収納庫２ｘの使用を禁止制御する使用禁止制御部１１ａを備えている。
【００４５】
ここで、上記のように構成した物品保管装置１の動作について、動作中に表示操作部５に表示される画面の一例を参照しながら説明する。図３〜図７は、物品保管装置１の動作中に表示操作部５に表示される画面の一例を示す説明図である。
【００４６】
ここでは、まず物品保管装置１に目論見書を収納する場合について説明する。この物品保管装置１では、待機状態において、図３（ａ）に示すように、表示操作制御部１５が表示操作部５の表示領域に、利用者の認証方法を選択させる待機画面を表示させる。本実施形態では、利用者が顔認証、ＩＣカード認証、顔認証＋ＩＣカード認証の中から所望の認証方法を選択できるようにしている。
【００４７】
ここで、利用者が顔認証を選択した場合、顔認証用撮像部４が撮像した利用者の顔画像の顔画像データを認証部１７へ出力する。認証部１７は、顔認証用撮像部４から入力された利用者の顔画像データと、記憶部２０の認証用データベース２１に記憶されている顔画像データとを照合することによって、利用者の本人認証を行う。
【００４８】
このとき、認証部１７による本人認証の結果、利用者に該当する顔画像データが存在しなかった場合、認証部１７はその旨を示す信号を表示操作制御部１５へ出力する。そして、表示操作制御部１５は、この信号が入力されると、本人認証を行った利用者が物品保管装置１に登録されていない旨を示す情報を表示操作部５に表示させる。
【００４９】
一方、認証部１７による本人認証の結果、利用者に該当する顔画像データが存在した場合、認証部１７は、その旨を示す信号を表示操作制御部１５へ出力する。表示操作制御部１５は、この信号が入力されると、図３（ｂ）に示す処理選択表示を表示操作部５に表示させる。
【００５０】
本実施形態では、この処理選択表示によって、物品の「収納」、「取出し」、「廃棄」、「使用期間変更」のうちのいずれか一つを利用者に選択させる。ここで、利用者が「収納」を選択すると、表示操作制御部１５は、図３（ｃ）に示すように、利用者に対してバーコード認証を促すバーコード入力表示を表示操作部５に表示させる。
【００５１】
そして、利用者がこれから収納する目論見書に貼付されているバーコードをバーコードリーダ７にかざすと、バーコードリーダ７は、バーコードからその目論見書の「種類」、「改訂数」、「数量」、その目論見書に関する使用期間の「開始日」を示すデータを読取って、表示操作制御部１５と記憶制御部１４とに出力する。
【００５２】
このデータが入力されると、表示操作制御部１５は、バーコードリーダ７により読取られたデータと使用期間管理テーブル２３に記憶されているデータとを合わせた入力結果表示を表示操作部５に表示させる。すなわち、表示操作制御部１５は、これから収納される目論見書に関するデータを含めた使用期間管理テーブル２３を入力結果表示として表示操作部５に表示させる。
【００５３】
このとき、表示操作制御部１５は、他の目論見書が収納されていない場合、図３（ｄ）に示すように、バーコードから読取られたデータを入力結果表示として表示操作部５に表示させる。なお、他の目論見書が収納されていた場合の入力結果表示については後述する。
【００５４】
また、記憶制御部１４は、バーコードリーダ７から入力されたデータを記憶部２０に記憶させることによって、使用期間管理テーブル２３を更新する。
【００５５】
そして、利用者が画面に表示されている内容を確認して、決定ボタンの表示位置に触れると、表示操作制御部１５は、図４（ａ）に示すように、目論見書Ａを保管する収納庫２ｘを利用者に選択させるボックス選択表示を表示操作部５に表示させる。
【００５６】
ここで、利用者がテンキーの表示部分に触れて収納庫２ｘを選択し、その後、決定ボタンの表示位置に触れると、表示操作制御部１５は、その操作に応じた信号を施開錠制御部１１へ出力する。施開錠制御部１１は、この信号が入力されると、その信号に対応した収納庫２ｘの電子キー２ｄを開錠制御する。
【００５７】
その後、表示操作制御部１５は、図４（ｂ）に示すように、利用者へ物品の収納と収納操作の完了を促す画面を表示操作部５に表示させる。そして、利用者が目論見書Ａを収納庫２ｘに収納した後、画面上の完了の表示位置に触れると、施開錠制御部１１は、その扉の電子キー２ｄを施錠制御する。
【００５８】
そして、この施開錠制御部１１は、目論見書Ａが収納庫２ｘに収納されてから、計時部１２により計時された現在日時が使用期間管理テーブル２３に記憶している開始日時になるまでの間、目論見書Ａが収納されている収納庫２ｘの開錠を禁止制御する。
【００５９】
このように、本実施形態の物品保管装置１では、収納している物品の使用期間を使用期間管理テーブル２３によって管理し、施開錠制御部１１が使用期間の開始日時になるまで、その物品が収納されている収納庫２ｘの電子キー２ｄの開錠を禁止制御するので、使用期間の開始日時が予め規定されている物品を、その物品の使用期間を厳正に管理しながら保管することができる。
【００６０】
その後、表示操作制御部１５は、図４（ｃ）に示すように、収納操作を継続するか否かを利用者に選択させる画面を表示操作部５に表示させる。
【００６１】
ここで、利用者が「継続する」を選択する操作を行った場合、表示操作制御部１５は、図３（ｃ）に示すバーコード入力表示を表示操作部５に表示させ、「継続しない」を選択する操作を行った場合、図３（ａ）に示す待機画面表示を表示操作部５に表示させる。
【００６２】
次に、前述の目論見書Ａが物品保管装置１に保管された後に、後日発行された目論見書Ａの改訂版を物品保管装置１に保管する際の物品保管装置１の動作について説明する。
【００６３】
ここでは、図３（ｄ）に示した使用開始期間の開始日が２００８／０７／０１、の目論見書Ａ（以下、「目論見書Ａ（０）」という。）が物品保管装置１に保管されているときに、後日（たとえば、２００８／０８／０１）に、使用期間の開始日が２００８／１０／０１の目論見書Ａの改訂版（以下、「目論見書Ａ（１）という。」）を６０部保管する場合を例に挙げて説明する。
【００６４】
この場合、利用者が目論見書Ａ（１）に添付されているバーコードをバーコードリーダ７に読取らせると、物品保管装置１では、記憶制御部１４がバーコードリーダ７から入力されるデータに基づいて、使用期間管理テーブル２３を更新する処理を行い、表示操作制御部１５は、図４（ｄ）に示すように、更新後の使用期間管理テーブル２３を入力結果表示として表示操作部５に表示させる。
【００６５】
このとき、記憶制御部１４は、今回収納する目論見書Ａ（１）と同一種類の目論見書Ａ（０）が既に使用期間管理テーブル２３に記憶されているか否かを判定し、記憶されていた場合に、既に記憶されている目論見書Ａ（０）が今回収納する目論見書Ａ（１）の改訂前の目論見書Ａ（０）であるか否かを判定する。
【００６６】
そして、記憶制御部１４は、既に記憶されている目論見書Ａ（０）が今回収納する目論見書Ａ（１）の改訂前の目論見書Ａ（０）であった場合、今回収納する目論見書Ａ（１）に関する使用期間の開始日（２００８／１０／０１）の前日（２００８／０９／３０）を既に記憶されている目論見書Ａ（０）に関する使用期間の終了日に設定する。
【００６７】
このように、本実施形態の物品保管装置１では、バーコードリーダ７が種類受付部７ｂとして機能して受付けた物品の種類が、収納庫２ｘに収納している物品の改訂版であり、且つ、そのときバーコードリーダ７が開始日時受付部７ａとして機能して使用危難の開始日時を受付けた場合に、記憶制御部１４が当該受付けた開始日時の前日を自動的に改訂前の物品に関する使用期間の終了日として設定するので、利用者は、改訂版に関する使用期間の開始日時をバーコードを用いて入力するだけで、改訂前の物品に関する使用期間の終了日時を入力する操作を行わなくても、その改訂版の改訂前の物品に関する使用期間の終了日時が自動的に設定されるため利便性が向上する。
【００６８】
また、本実施形態の物品保管装置１では、改訂前の目論見書Ａ（０）に関する使用期間の終了日が設定されると、表示操作制御部１５が使用期限である２００８／０９／３０までに目論見書Ａ（０）の廃棄を利用者に促す情報を表示操作部５に表示させると共に、出音制御部１６が同様の廃棄を促す情報を音声としてスピーカ１６ａから出音させる。
【００６９】
そのため、本実施形態の物品保管装置１では、この廃棄を促す報知により、使用期間を過ぎた不要な物品を長期にわたり保管することを防止することができる。
【００７０】
次に、物品保管装置１から目論見書Ａ（１）を取り出す場合について説明する。目論見書Ａ（１）を取出す際に、利用者は、まず、図５（ａ）に示すように、表示操作部５に表示されている待機画面表示から所望の認証方法を選択して本人認証を行う。
【００７１】
その後、利用者が図５（ｂ）に示す処理選択表示から取出しを選択すると、物品保管装置１の表示操作制御部１５は、図５（ｃ）に示すように、現在収納している物品（ここでは、目論見書）の使用期間管理テーブル表示を一覧で表示操作部５に一覧表示させる。なお、ここでは、目論見書Ａ（０）に関する使用期間の終了日が設定されているため、使用期間管理テーブル表示の上部には、目論見書Ａ（０）を終了日までに廃棄することを促す報知情報が表示されている。
【００７２】
次に、この使用期間管理テーブル表示において、利用者が画面の右下部分にある選択移動ボタンを操作して、目論見書Ａ（１）を選択し、その後、選択移動ボタン下の決定ボタンの表示位置に触れると、施開錠制御部１１は、目論見書Ａ（１）が保管されているボックスＮｏ．１６の収納庫２ｘの電子キー２ｄを開錠制御する。
【００７３】
その後、利用者が収納庫２ｘから目論見書Ａ（１）を取出して、収納庫２ｘの扉を閉めると、施開錠制御部１１は、扉が閉められた収納庫２ｘの電子キー２ｄを施錠制御する。そして、表示操作制御部１５は、利用者に物品の取出し操作を継続するか否かを選択させる画面を表示させる。
【００７４】
このとき、利用者が「継続する」を選択した場合に、表示操作制御部１５は、図５（ｂ）に示した処理選択表示を表示させ、「継続しない」を選択した場合には、図５（ａ）に示した待機画面表示を表示させる。
【００７５】
ここで、上記のように目論見書Ａ（１）が取り出された後に、別の利用者が誤って使用期間の過ぎた目論見書Ａ（０）を取出す操作を行おうとした場合について説明する。
【００７６】
図６（ａ）に示すように、２００８／１１／０１に利用者が使用期間管理テーブル表示の表示中で使用期間の終了日を過ぎた目論見書Ａ（０）を選択して、画面右下の決定ボタンの表示位置に触れたとする。
【００７７】
通常の取出し操作において、施開錠制御部１１は、取出し操作の流れのなかで、利用者が使用期間管理テーブル表示から物品を選択して決定する操作を行った場合、前述のように、その操作に対応する収納庫２ｘの電子キー２ｄを開錠制御するが、このように、利用者が終了日を過ぎた物品を選択して決定する操作を行った場合には、電子キー２ｄの開錠を禁止制御する。
【００７８】
そして、このとき表示操作制御部１５は、図６（ｂ）に示すように、目論見書Ａ（０）に関する使用間の終了日が過ぎていることと、その目論見書Ａ（０）の廃棄を促すう報知画面を表示操作部５に表示させる。なお、このとき同時に出音制御部１６がスピーカ１６ａから目論見書Ａ（０）の廃棄を促す音声情報を出音させる。
【００７９】
このように、本実施形態の物品保管装置１では、収納している各物品の使用期間を管理しておき、利用者が誤って使用期間の終了日を過ぎた物品を取出そうとした場合に、その物品が収納されている収納庫２ｘの電子キー２ｄの開錠を禁止制御するので、使用期間を過ぎた物品を取出し不可能として物品の使用期間を厳正に管理することができ、しかも、表示操作部５やスピーカ１６ａによってその物品の廃棄を利用者に促すこともできる。
【００８０】
次に、利用者が物品保管装置１に収納されている使用期限を過ぎた目論見書を廃棄する際の物品保管装置１の動作について説明する。図６（ｃ）に示すように、利用者が表示操作部５に表示中の処理選択表示から「廃棄」を選択した場合、すなわち、表示操作部５が廃棄操作受付部５ａとして機能して、利用者による廃棄操作を受付け、その旨を示す信号を表示操作制御部１５へ出力した場合、表示操作制御部１５は、その信号が入力されると「取出し」のときと同様に、たとえば図５（ｃ）に示した使用期間管理テーブル表示を表示操作部５に表示させる。
【００８１】
その後、利用者が所望の物品（たとえば、目論見書Ａ（０））を選択すると、施開錠制御部１１は、目論見書Ａ（０）が保管されている収納庫２ｘの電子キー２ｄを開錠制御する。
【００８２】
そして、施開錠制御部１１は、利用者が選択した収納庫２ｘ内から目論見書Ａ（０）を取出した後、収納庫２ｘ閉鎖すると電子キー２ｅを施錠制御して、その収納庫２ｘを使用可能な状態にする。
【００８３】
ただし、このとき施開錠制御部１１は、利用者の廃棄操作に対応する収納庫２ｘに設けられているセンサ２ｅが収納庫２ｘに物品の存在を検知しなくなるまで、使用禁止制御部１１ａとして機能して、その収納庫２ｘの使用を禁止制御する。
【００８４】
すなわち、この施開錠制御部１１は、物品の取出し操作の場合、たとえば利用者が収納庫２ｘから目論見書Ａ（０）を取出して、収納庫２ｘの扉を閉めると、その収納庫２ｘの電子キー２ｄを施錠制御するが、物品の廃棄操作の場合には、利用者が収納庫２ｘから目論見書Ａ（０）を取出して、収納庫２ｘの扉を閉めても、センサ２ｅが収納庫２ｘに物品の存在を検知している間、その収納庫２ｘの電子キー２ｄを施錠制御することなく、代わりに、その旨を示す信号を表示操作制御部１５及び出音制御部１６へ出力する。
【００８５】
この信号が入力されると、表示操作制御部１５は、図６（ｄ）に示すように、目論見書Ａ（０）がまだ収納庫２ｘ内に残っていることを報知すると共に、残っている目論見書Ａ（０）の廃棄を利用者に促す報知画面を表示操作部５に表示させ、出音制御部１６は、表示操作部５に表示中の情報をスピーカ１６ａから出音させる。
【００８６】
そして、施開錠制御部１１は、センサ２ｅが収納庫２ｘに物品の存在を検知しなくなった場合に、収納庫２ｘの電子キー２ｄを施錠制御すると共に、表示操作制御部１５及び出音制御部１６へ画面及び音による報知を停止させる信号を出力して、その収納庫２ｘを使用可能な状態にする。
【００８７】
これにより、本実施形態の物品保管装置１では、利用者が保管している物品の廃棄操作を行う場合に、使用期間を過ぎた物品を確実に廃棄させることができる。
【００８８】
次に、利用者が物品保管装置１に収納されている物品の使用期間を変更する際の物品保管装置１の動作について説明する。図７（ａ）に示すように、利用者が表示操作部５に表示中の処理選択表示から「使用期間変更」を選択した場合、すなわち、表示操作部５が開始日時変更受付部５ｂとして機能して、利用者による使用期間変更操作を受付け、その旨を示す信号を表示操作制御部１５へ出力した場合、表示操作制御部１５は、その信号が入力されると、たとえば図７（ｂ）に示すように、使用期間管理テーブル表示を表示操作部５に表示させる。
【００８９】
ここで、利用者が目論見書Ａ（１）に関して、使用期間の開始日を変更する場合、利用者は、使用期間管理テーブル表示の右下部分に表示されている選択移動ボタンを操作して、目論見書Ａ（１）の項目を選択し、その後、選択移動ボタンの下方に表示されている決定ボタンを操作して、開始日を変更する物品を決定する。
【００９０】
そして、表示操作制御部１５は、決定操作を受付けると、図７（ｃ）に示すように、目論見書Ａ（１）の使用期間に関する新たな開始日を入力させる画面を表示操作部５に表示させる。
【００９１】
その後、利用者が開始日を入力すると、記憶制御部１４は、目論見書Ａ（１）の使用開始日として、新たに２００８／１１／０１を設定すると共に、それに連動して、同じ種類の改訂前の目論見書である目論見書Ａ（０）の使用期間の終了日を、目論見書Ａ（１）の使用開始日の前日である２００８／１０／３１に再設定して使用期間管理テーブル２３の更新を行う。
【００９２】
このとき、記憶制御部１４は、他の収納庫２ｘにも目論見書Ａ（１）が保管されていた場合には、その目論見書Ａ（１）の使用期間の開始日も連動して変更する。
【００９３】
そして、表示操作制御部１５は、図７（ｄ）に示すように、更新後の使用期間管理テーブルを示す変更結果表示を表示操作部５に表示させ、利用者が確認ボタンを操作すると、図３（ａ）に示した待機画面表示を表示操作部５に表示させる。
【００９４】
このように、本実施形態の物品保管装置１では、利用者が保管している物品に関する使用期間の開始日を変更する操作を行った際に、その物品と同一種類で改訂前の物品が他の収納庫２ｘに保管されていた場合、記憶制御部１４が当該他の収納庫２ｘに保管している改訂前の物品について、使用期間の終了日を連鎖的に変更するので、利用者は、一度の入力操作によって、複数の物品の使用期間の設定変更を行うことができる。
【００９５】
次に、利用者が物品の収納、取出し、廃棄、使用期間の変更を行う際に、物品保管装置１の制御部１０が実行する処理について、図８〜図１２を参照して説明する。図８〜図１２は、本実施形態に係る物品保管装置１の制御部１０が実行する処理を示すフローチャートである。
【００９６】
物品保管装置１の制御部１０は、電源が投入されると、図８に示すように、表示操作部５に待機画面表示（図３（ａ）参照）を表示させ（ステップＳ１０１）、その後、利用者により認証方法が選択されたか否かの判定を行う（ステップＳ１０２）。
【００９７】
このステップＳ１０２において、制御部１０は、認証方法が選択されたと判定した場合（ステップＳ１０２：Ｙｅｓ）、処理をステップＳ１０３へ移し、認証方法が選択されなかったと判定した場合（ステップＳ１０２：Ｎｏ）、処理をステップＳ１０１へ移す。
【００９８】
ステップＳ１０３において、制御部１０は、利用者により選択された認証方法により、利用者が認証されたか否かを判定し、認証されたと判定した場合（ステップＳ１０３：Ｙｅｓ）、処理をステップＳ１０４へ移し、認証されなかったと判定した場合（ステップＳ１０３：Ｎｏ）、処理をステップＳ１０１へ移す。
【００９９】
ステップＳ１０４において、制御部１０は、利用者に処理を選択させる処理選択表示（図３（ｂ）参照）を表示操作部５に表示させ、その後、利用者により処理が選択されたか否かの判定を行い（ステップＳ１０５）、処理が選択されたと判定した場合（ステップＳ１０５：Ｙｅｓ）、処理をステップＳ１０６へ移し、処理が選択されなかったと判定した場合（ステップＳ１０５：Ｎｏ）、処理が選択されるまで処理選択表示を表示させる（ステップＳ１０４）。
【０１００】
ステップＳ１０６において、制御部１０は、選択された処理が物品を収納するための収納処理であるか否かの判定を行い、収納処理であると判定した場合（ステップＳ１０６：Ｙｅｓ）、収納処理を行い（ステップＳ１０７）、その後、処理を終了する。この収納処理については後に図９を参照して詳述する。一方、制御部１０は、選択された処理が収納処理でないと判定した場合（ステップＳ１０６：Ｎｏ）、処理をステップＳ１０８へ移す。
【０１０１】
ステップＳ１０８において、制御部１０は、選択された処理が物品を取出すための取出し処理であるか否かを判定し、取出し処理であると判定した場合（ステップＳ１０８：Ｙｅｓ）、取出し処理を行い（ステップＳ１０９）、その後、処理を終了する。この取出し処理については、後に図１０を参照して詳述する。一方、制御部１０は、選択された処理が取出し処理でないと判定した場合（ステップＳ１０８：Ｎｏ）、処理をステップＳ１１０へ移す。
【０１０２】
ステップＳ１１０において、制御部１０は、選択された処理が物品を廃棄するための廃棄処理であるか否かを判定し、廃棄処理であると判定した場合（ステップＳ１１０：Ｙｅｓ）、廃棄処理を行い（ステップＳ１１１）、その後、処理を終了する。この廃棄処理については、後に図１１を参照して詳述する。一方、制御部１０は、選択された処理が廃棄処理でないと判定した場合（ステップＳ１１０：Ｎｏ）、制御部１０は、使用期間変更処理を行い（ステップＳ１１２）、その後、処理を終了する。この使用期間変更処理については、後に図１２を参照して詳述する。
【０１０３】
そして、制御部１０は、収納処理（ステップＳ１０７）、取出し処理（ステップＳ１０９）、廃棄処理（ステップＳ１１１）、使用期間変更処理（ステップＳ１１２）の各処理を終了した後、再度ステップＳ１０１から順に処理を開始する。
【０１０４】
次に、ステップＳ１０７で実行される収納処理について説明する。図９に示すように、この収納処理が開始されると制御部１０は、利用者にバーコード入力を促すバーコード入力表示（図３（ｃ）参照）を表示操作部５に表示させ（ステップＳ２０１）、その後、バーコード入力があったか否かの判定を行う（ステップＳ２０２）。
【０１０５】
このステップＳ２０２において、制御部１０は、バーコード入力があったと判定した場合（ステップＳ２０２：Ｙｅｓ）、処理をステップＳ２０３へ移し、バーコード入力がなかったと判定した場合（ステップＳ２０２：Ｎｏ）、バーコード入力があるまで、バーコード入力表示を表示させる（ステップＳ２０１）。
【０１０６】
ステップＳ２０３において、制御部１０は、バーコードから読取った物品に関する情報に基づいて、使用期間管理テーブル２３を検索し、今回収納する物品の改訂前の物品（以下、「改訂前物品」という。）があるか否かの判定を行い、改訂前物品があると判定した場合（ステップＳ２０３：Ｙｅｓ）、処理をステップＳ２０４へ移し、改訂前物品がないと判定した場合（ステップＳ２０３：Ｎｏ）、処理をステップＳ２０６へ移す。
【０１０７】
ステップＳ２０４において、制御部１０は、今回収納する物品に関する使用期間の開始日の前日を改訂前物品に関する使用期間の終了日として使用期間管理テーブル２３に設定する処理を行い、その後、ステップＳ２０５において、利用者に改訂前物品の廃棄を促す報知を行う処理を実行する。
【０１０８】
続いて、制御部１０は、バーコードから読取った物品に関する情報を含む入力結果表示（図３（ｄ）参照）を表示操作部５に表示させ（ステップＳ２０６）、その後、利用者に物品を収納する収納庫２ｘを選択させるボックス選択表示（図４（ａ））を表示操作部５に表示させる（ステップＳ２０７）。
【０１０９】
そして、制御部１０は、ボックスＮｏが入力されたか否かを判定し（ステップＳ２０８）、ボックスＮｏが入力されたと判定した場合（ステップＳ２０８：Ｙｅｓ）、入力されたボックスＮｏに対応する収納庫２ｘの電子キー２ｄを開錠する処理を行って（ステップＳ２０９）、処理をステップＳ２１０へ移す。一方、制御部１０は、ボックスＮｏが入力されていないと判定した場合（ステップＳ２０８：Ｎｏ）、ボックスＮｏが入力されるまで、ステップＳ２０８の判定処理を繰り返す。
【０１１０】
ステップＳ２１０において、物品の収納を確認したか否かの判定を行う。ここで、制御部１０は、表示画面中の完了ボタン（図４（ｂ）参照）の表示位置が利用者に操作された場合に、物品の収納を確認したと判定する。そして、制御部１０は、物品の収納を確認した場合（ステップＳ２１０：Ｙｅｓ）、処理をステップＳ２１１へ移し、物品の収納を確認していない場合（ステップＳ２１０：Ｎｏ）、物品の収納を確認するまでステップＳ２１０の判定処理を繰り返す。
【０１１１】
ステップＳ２１１において、制御部１０は、物品の収納が確認された収納庫２ｘの電子キー２ｄを施錠する処理を行い、その後、今回収納した物品に関する使用期間管理テーブル２３を更新する処理を行う（ステップＳ２１２）。その後、制御部１０は、収納処理を継続させるための継続操作があったか否かの判定を行い（ステップＳ２１３）、継続操作があったと判定した場合（ステップＳ２１３：Ｙｅｓ）、処理をステップＳ２０１へ移し、継続操作がなかった、すなわち、収納処理を終了する操作があったと判定した場合（ステップＳ２１３：Ｎｏ）、収納処理を終了する。
【０１１２】
次に、ステップＳ１０９で実行される取出し処理について説明する。図１０に示すように、この取出し処理が開始されると、制御部１０は、使用期間管理テーブル表示（図５（ｃ）参照）を表示操作部５に表示させ（ステップＳ３０１）、その後、今回取出す物品が選択されたか否かの判定を行う（ステップＳ３０２）。
【０１１３】
このステップＳ３０２において、制御部１０は、物品の選択があったと判定した場合（ステップＳ３０２：Ｙｅｓ）、処理をステップＳ３０３へ移し、物品の選択がないと判定した場合（ステップＳ３０２：Ｎｏ）、物品の選択があるまで、使用期間管理テーブル表示を行う（ステップＳ３０１）。
【０１１４】
ステップＳ３０３において、制御部１０は、使用期間管理テーブル２３を参照して、選択された物品が使用期間内であるか否かの判定を行い、使用期間内であると判定した場合（ステップＳ３０３：Ｙｅｓ）、選択された物品が収納されている収納庫２ｘの電子キー２ｄを開錠する処理を行い（ステップＳ３０４）、その後、処理をステップＳ３０５へ移す。一方、制御部１０は、選択された物品が使用期間内でない、すなわち、現在が使用期間の開始日前又は終了日後であると判定した場合（ステップＳ３０３：Ｎｏ）、処理をステップＳ３０８へ移す。
【０１１５】
ステップＳ３０８において、制御部１０は、選択された物品が取出し禁止であることを利用者に報知する取出し禁止報知処理を行い、その後、利用者による確認操作があったか否かを判定し（ステップＳ３０９）、確認操作があったと判定した場合（ステップＳ３０９：Ｙｅｓ）、処理を終了し、確認操作がないと判定した場合（ステップＳ３０９：Ｎｏ）、確認操作が有るまで取出し禁止報知処理（ステップＳ３０８）を行う。
【０１１６】
また、ステップＳ３０５において、制御部１０は、ステップＳ３０４で電子キー２ｄを開錠した収納庫２ｘの扉が閉鎖されたか否かを判定し、閉鎖されたと判定した場合に（ステップＳ３０５：Ｙｅｓ）、その扉に対応する電子キー２ｄを施錠する処理を行い（ステップＳ３０６）、その後、使用期間管理テーブル２３を更新する処理を行って（ステップＳ３０７）、処理を終了する。
【０１１７】
なお、ここでは図示を省略しているが、ステップＳ３０７での使用期間管理テーブル２３の更新は、利用者が物品を取出した後に、取出した物品の数量を操作表示部５により入力した場合に行われる。
【０１１８】
一方、制御部１０は、ステップＳ３０４で電子キー２ｄを開錠した収納庫２ｘの扉が閉鎖されていないと判定した場合（ステップＳ３０５：Ｎｏ）、扉が閉鎖されるまで、ステップＳ３０５の判定処理を繰り返す。
【０１１９】
次に、ステップＳ１１１で実行される廃棄処理について説明する。図１１に示すように、この廃棄処理が開始されると、制御部１０は、使用期間管理テーブル表示（図６（ｃ）参照）を表示操作部５に表示させ（ステップＳ４０１）、その後、今回廃棄する物品が選択されたか否かの判定を行う（ステップＳ４０２）。
【０１２０】
このステップＳ４０２において、制御部１０は、物品の選択があったと判定した場合（ステップＳ４０２：Ｙｅｓ）、処理をステップＳ４０３へ移し、物品の選択がないと判定した場合（ステップＳ４０２：Ｎｏ）、物品の選択があるまで、このステップＳ４０２の判定処理を繰り返す。
【０１２１】
ステップＳ４０３において、制御部１０は、使用期間管理テーブル２３を参照して、選択された物品が収納されている収納庫２ｘの電子キー２ｄを開錠する処理を行い、その後、電子キー２ｄを開錠した収納庫２ｘに設けられたセンサ２ｅの検知結果に基づいて、その収納庫２ｘ内に物品が存在しているか否かの判定を行う（ステップＳ４０４）。
【０１２２】
このステップＳ４０４において、制御部１０は、物品が存在していると判定した場合（ステップＳ４０４：Ｙｅｓ）、処理をステップＳ４０６へ移し、物品が存在していないと判定した場合（ステップＳ４０４：Ｎｏ）、ステップＳ４０３で開錠した電子キー２ｄを施錠する処理を行い（ステップＳ４０５）、その後、処理を終了する。
【０１２３】
また、ステップＳ４０６において、制御部１０は、物品の廃棄が未完了であることを利用者に報知する処理を行い、その後、その報知に対して、利用者による確認操作があったか否かを判定し（ステップＳ４０７）、確認操作があったと判定した場合（ステップＳ４０７：Ｙｅｓ）、処理をステップＳ４０４へ移し、確認操作がなかったと判定した場合（ステップＳ４０７：Ｎｏ）、確認操作があるまでこのステップＳ４０７の判定処理を繰り返す。
【０１２４】
次に、ステップＳ１１２で実行される使用期間変更処理について説明する。図１２に示すように、この使用期間変更処理が開始されると、制御部１０は、使用期間管理テーブル表示（図７（ｂ）参照）を表示操作部５に表示させ（ステップＳ５０１）、その後、今回使用期間を変更する物品が選択されたか否かの判定を行う（ステップＳ５０２）。
【０１２５】
このステップＳ５０２において、制御部１０は、物品が選択されたと判定した場合（ステップＳ５０２：Ｙｅｓ）、処理をステップ５０３へ移す一方、物品が選択されていないと判定した場合（ステップＳ５０２：Ｎｏ）、物品が選択されるまで、このステップＳ５０２の判定処理を繰り返す。
【０１２６】
ステップＳ５０３において、制御部１０は、使用期間の新たな開始日が入力されたか否かの判定を行い、開始日が入力されたと判定した場合（ステップＳ５０３：Ｙｅｓ）、処理をステップＳ５０４へ移す一方、開始日が入力されていないと判定した場合（ステップＳ５０３：Ｎｏ）、開始日が入力されるまで、このステップＳ５０３の判定処理を繰り返す。
【０１２７】
ステップＳ５０４において、制御部１０は、使用期間管理テーブル２３を参照して、ステップＳ５０２で選択された物品の改訂前物品があるか否かの判定を行い、改訂前物品があると判定した場合（ステップＳ５０４：Ｙｅｓ）、処理をステップＳ５０５へ移す一方、改訂前物品がないと判定した場合（ステップＳ５０４：Ｎｏ）、処理をステップＳ５０８へ移す。
【０１２８】
ステップＳ５０５において、制御部１０は、使用期間仮テーブル２３に記憶されているステップＳ５０２で選択された物品に関する使用期間の開始日を、ステップＳ５０３で入力された開始日に更新し、それに連動して、ステップＳ５０４で判定した改訂前物品に関する使用期間の終了日を、ステップＳ５０３で入力された開始日の前日に更新する処理を行い、その後、処理をステップＳ５０６へ移す。
【０１２９】
また、ステップＳ５０８において、制御部１０は、使用期間仮テーブル２３に記憶されているステップＳ５０２で選択された物品に関する使用期間の開始日を、ステップＳ５０３で入力された開始日に更新して、その後、処理をステップＳ５０６へ移す。
【０１３０】
そして、ステップＳ５０６において、制御部１０は、変更結果表示（図７（ｄ）参照）を表示操作部５に表示させ、その後、変更結果表示内容に対して利用者の確認操作があったか否かの判定を行い（ステップＳ５０７）、確認操作が有ったと判定した場合（ステップＳ５０７：Ｙｅｓ）、処理を終了する一方、確認操作がなかったと判定した場合（ステップＳ５０７：Ｎｏ）、確認操作があるまで、このステップＳ５０７の判定処理を繰り返す。
【０１３１】
このように、本実施形態に係る物品保管装置１では、各収納庫２ｘに物品を収納する際に、物品に添付されたバーコードから物品に関する使用期間の開始日等の情報を取得して使用期間管理テーブル２３に記憶して管理しておき、物品を取出す際に、その日が物品の使用期間の開始日前、又は、使用期間の終了後であった場合には、収納庫２ｘの開錠を禁止するように制御部１０が電子キー２ｄの施開錠を制御するので、使用期間の開始日時が予め規定されている物品を、その物品の使用期間を厳正に管理しながら保管することができる。
【０１３２】
また、この物品保管装置１では、新たに物品を収納する際、既にその物品の改訂前物品が収納されていた場合、新たに収納する物品の使用開始日（使用期間の開始日）を使用期間管理テーブル２３に設定するのに連動して、当該使用開始日の前日を改訂前物品の使用期限（使用期間の終了日）として、使用期間管理テーブル２３に設定するため、利用者は、一度の入力操作により、新たに収納する物品の使用開始日と、改訂前物品の使用期限との両方を設定することができ、利便性が向上する。
【０１３３】
しかも、この物品保管装置１では、改訂前物品の使用期限が設定された場合に、改訂前物品を使用期限までに廃棄するよう利用者へ報知するため、使用期限を過ぎた物品が不必要に長期間収納されることを抑制することができる。
【０１３４】
さらに、この物品保管装置１では、使用期間を過ぎた物品の廃棄を行わせる際に、使用期限を過ぎた物品を全て収納庫２ｘから取出すまで、その収納庫２ｘの使用を禁止制御するので、使用期限を過ぎた物品を確実に廃棄させることができる。
【０１３５】
また、この物品保管装置１では、既に収納している物品の使用期限を変更する際に、ある物品の使用開始日を変更した場合、その物品の改訂前物品が収納されていれば、連動して改訂前物品の使用期限も自動的に変更するように構成しているため、これによっても、利用者は、一度の入力操作により、使用期間を変更する物品の使用開始日と、改訂前物品の使用期限との両方を設定することができ、利便性が向上する。
【０１３６】
また、本実施形態では、収納する物品の種類を使用期間管理テーブル２３で管理し、同一種類の物品の改訂版が収納されたときに、その物品の改訂前物品の使用期間を連動して更新するように構成したが、同一種類ではなく、別のカテゴリーで各物品を管理して、新たな物品を収納する際に他の複数の物品の使用期間を連動して一括更新するように構成してもよい。
【０１３７】
たとえば、金融や証券取引に関する商品の目論見書のように、法律や条令等の所定の規則が適用されるような物品の場合、物品に適用される規則毎のカテゴリーで分類して使用期間を使用期間管理テーブル２３に設定しておき、所定の規則が改正された場合等に、その規則が適用される全ての物品の使用期間を一括更新するように構成する。
【０１３８】
かかる構成とした場合、利用者は、一度の入力操作により多数の物品の使用期間を一括更新させることができるので、利用者にとっての利便性がより一層向上することとなる。
【０１３９】
更に、本実施形態では、使用者を認証すれば所望の収納庫２ｘが開くようにしたが、使用者に対して操作できる収納庫２ｘを設定しておき、所定の権限がある者しか操作できないように構成できることは言うまでもない。
【図面の簡単な説明】
【０１４０】
【図１】本実施形態に係る物品保管装置を示す斜視図である。
【図２】本実施形態に係る物品保管装置の構成を示す機能ブロック図である。
【図３】物品保管装置の動作中に表示操作部に表示される画面の一例を示す説明図である。
【図４】物品保管装置の動作中に表示操作部に表示される画面の一例を示す説明図である。
【図５】物品保管装置の動作中に表示操作部に表示される画面の一例を示す説明図である。
【図６】物品保管装置の動作中に表示操作部に表示される画面の一例を示す説明図である。
【図７】物品保管装置の動作中に表示操作部に表示される画面の一例を示す説明図である。
【図８】本実施形態に係る物品保管装置の制御部が実行する処理を示すフローチャートである。
【図９】本実施形態に係る物品保管装置の制御部が実行する処理を示すフローチャートである。
【図１０】本実施形態に係る物品保管装置の制御部が実行する処理を示すフローチャートである。
【図１１】本実施形態に係る物品保管装置の制御部が実行する処理を示すフローチャートである。
【図１２】本実施形態に係る物品保管装置の制御部が実行する処理を示すフローチャートである。
【符号の説明】
【０１４１】
１  物品保管装置
２  収納部
２ｘ  収納庫
２ｄ  電子キー
２ｅ  センサ
３  管理部
４  顔認証用撮像部
５  表示操作部
６  ＩＣカードリーダ
７  バーコードリーダ
１０  制御部
１１  施開錠制御部
１３  存否判定部
１４  記憶制御部
１５  表示操作制御部
２０  記憶部
２３  使用期間管理テーブル
【図１】
2010112045.tif 000003
【図２】
2010112045.tif 000004
【図３】
2010112045.tif 000005
【図４】
2010112045.tif 000006
【図５】
2010112045.tif 000007
【図６】
2010112045.tif 000008
【図７】
2010112045.tif 000009
【図８】
2010112045.tif 000010
【図９】
2010112045.tif 000011
【図１０】
2010112045.tif 000012
【図１１】
2010112045.tif 000013
【図１２】
2010112045.tif 000014